(57)【要約】  ユーザ端末がアイドル状態であっても、ビームフォーミングを適切に行うこと。本発明のユーザ端末は、複数のビームパターンを利用する無線基地局と通信するユーザ端末であって、複数の単位区間を含むページング用時間区間でそれぞれ異なるビームパターンが適用されて送信されるページング情報に対して受信処理を行う受信部と、ページング情報の受信に基づいて応答信号を送信する送信部と、を有することを特徴とする。
2018025947.tif 000002
【特許請求の範囲】
【請求項１】
複数のビームパターンを利用する無線基地局と通信するユーザ端末であって、
複数の単位区間を含むページング用時間区間でそれぞれ異なるビームパターンが適用されて送信されるページング情報に対して受信処理を行う受信部と、
上り信号を送信する送信部と、
を有することを特徴とするユーザ端末。
【請求項２】
前記ページング用時間区間は、非連続の複数の単位区間を含む、又は、連続する複数の単位区間であることを特徴とする請求項１記載のユーザ端末。
【請求項３】
前記ページング用時間区間が非連続の複数の単位区間を含む場合に、前記送信部は、ページング情報の受信に基づいて前記上り信号として応答信号を送信することを特徴とする請求項２記載のユーザ端末。
【請求項４】
前記受信部は、前記非連続となる複数の単位区間でそれぞれ異なるビームパターンが適用されて送信されるページング情報に対する受信処理と、連続する複数の単位区間でそれぞれ異なるビームパターンが適用されて送信されるページング情報に対する受信処理とを切り替えて行うことを特徴とする請求項２又は請求項３記載のユーザ端末。
【請求項５】
複数のビームパターンを利用してユーザ端末と通信する無線基地局であって、
複数の単位区間を含むページング用時間区間の複数の単位区間でそれぞれ異なるビームパターンを適用してページング情報を送信する送信部と、
ページング情報の受信に基づいて前記ユーザ端末から送信される応答信号を受信する受信部と、を有し、
前記送信部は、前記応答信号を受信した後にページング情報の送信を停止することを特徴とする無線基地局。
【請求項６】
複数のビームパターンを利用する無線基地局と通信するユーザ端末の無線通信方法であって、
複数の単位区間を含むページング用時間区間の複数の単位区間でそれぞれ異なるビームパターンが適用されて送信されるページング情報に対して受信処理を行う工程と、
ページング情報の受信に基づいて応答信号を送信する工程と、を有することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、更なる高速データレート、低遅延等を目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、ＮＲ（New  Radio）、ＮＸ（New  radio  access）、ＦＸ（Future  generation  radio  access）、ＬＴＥ  Ｒｅｌ．１３、１４又は１５以降等ともいう）も検討されている。【０００３】
ＬＴＥ  Ｒｅｌ．１０／１１では、広帯域化を図るために、複数のコンポーネントキャリア（ＣＣ：Component  Carrier）を統合するキャリアアグリゲーション（ＣＡ：Carrier  Aggregation）が導入されている。各ＣＣは、ＬＴＥ  Ｒｅｌ．８のシステム帯域を一単位として構成される。また、ＣＡでは、同一の無線基地局（ｅＮＢ：eNodeB）の複数のＣＣがユーザ端末（ＵＥ：User  Equipment）に設定される。【０００４】
一方、ＬＴＥ  Ｒｅｌ．１２では、異なる無線基地局の複数のセルグループ（ＣＧ：Cell  Group）がＵＥに設定されるデュアルコネクティビティ（ＤＣ：Dual  Connectivity）も導入されている。各セルグループは、少なくとも一つのセル（ＣＣ）で構成される。ＤＣでは、異なる無線基地局の複数のＣＣが統合されるため、ＤＣは、基地局間ＣＡ（Inter-eNB  CA）等とも呼ばれる。【０００５】
また、既存のＬＴＥシステム（例えば、ＬＴＥ  Ｒｅｌ．８−１３）では、ユーザ端末の電力消費を低減するために、アイドル状態（idle  mode）において間欠受信（ＤＲＸ：Discontinuous  Reception）の動作がサポートされている。また、アイドル状態のユーザ端末は、セル再選択のためのＲＳＲＰ／ＲＳＲＱ測定、ページングチャネル（ＰＣＨ）のモニタリング／受信等をＤＲＸサイクルに基づいて制御する。ページングチャネル（Paging  channel）によって着信、報知情報（システム情報）の変更、ＥＴＷＳ等がユーザ端末に通知される。
【先行技術文献】
【非特許文献】
【０００６】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００７】
将来の無線通信システム（例えば、５Ｇ、ＮＲ）は、様々な無線通信サービスを、それぞれ異なる要求条件（例えば、超高速、大容量、超低遅延等）を満たすように実現することが期待されている。【０００８】
例えば、５Ｇでは、ｅＭＢＢ（enhanced  Mobile  Broad  Band）、ＩｏＴ（Internet  of  Things）、ＭＴＣ（Machine  Type  Communication）、Ｍ２Ｍ（Machine  To  Machine）、ＵＲＬＬＣ（Ultra  Reliable  and  Low  Latency  Communications）等と呼ばれる無線通信サービスの提供が検討されている。なお、Ｍ２Ｍは、通信する機器によって、Ｄ２Ｄ（Device  To  Device）、Ｖ２Ｖ（Vehicle  To  Vehicle）等と呼ばれてもよい。上記の多様な通信に対する要求を満たすために、新しい通信アクセス方式（Ｎｅｗ  ＲＡＴ（Radio  Access  Technology））を設計することが検討されている。【０００９】
５Ｇでは、例えば１００ＧＨｚという非常に高い搬送波周波数を用いてサービス提供を行うことが検討されている。一般的に、搬送波周波数が増大するとカバレッジを確保することが難しくなる。理由としては、距離減衰が激しくなり電波の直進性が強くなることや、超広帯域送信のため送信電力密度が低くなることに起因する。【００１０】
そこで、高周波数帯においても上記の多様な通信に対する要求を満たすために、超多素子アンテナを用いる大規模ＭＩＭＯ（Massive  MIMO（Multiple  Input  Multiple  Output））を利用することが検討されている。超多素子アンテナでは、各素子から送信／受信される信号の振幅及び／又は位相を制御することで、ビーム（アンテナ指向性）を形成することができる。当該処理はビームフォーミング（ＢＦ：Beam  Forming）とも呼ばれ、電波伝播損失を低減することが可能となる。【００１１】
ビームフォーミングを適用する無線基地局は、各ユーザ端末に対してそれぞれ適切な送信ビーム（ビームパターン）を適用して信号の送信及び／又は受信を行うことにより通信を適切に行うことができる。一方で、無線基地局は、アイドル状態のユーザ端末について、いずれのビームパターンが適切であるか判断することができない。そのため、アイドル状態のユーザ端末等に対し、ビームフォーミングを利用した好適な信号の送信及び／又は受信方法が望まれる。【００１２】
本発明はかかる点に鑑みてなされたものであり、ユーザ端末がアイドル状態であっても、ビームフォーミングを適切に行うことができるユーザ端末、無線基地局及び無線通信方法を提供することを目的の１つとする。
【課題を解決するための手段】
【００１３】
本発明の一態様に係るユーザ端末は、複数のビームパターンを利用する無線基地局と通信するユーザ端末であって、複数の単位区間を含むページング用時間区間でそれぞれ異なるビームパターンが適用されて送信されるページング情報に対して受信処理を行う受信部と、上り信号を送信する送信部と、を有することを特徴とする。
【発明の効果】
【００１４】
本発明によれば、ユーザ端末がアイドル状態であっても、ビームフォーミングを適切に行うことができる。
【図面の簡単な説明】
【００１５】
【図１】既存システムにおけるページング情報の送受信方法の一例を示す図である。
【図２】既存システムにおけるページング情報の割当て方法の一例を示す図である。
【図３】図３Ａは、シングルＢＦの一例を示し、図３Ｂは、マルチプルＢＦの一例を示す図である。
【図４】図４Ａは、シングルＢＦの一例を示し、図４Ｂ、図４Ｃは、マルチプルＢＦの一例を示す図である。
【図５】１サブフレームに含まれる異なるリソース（ここでは、各シンボル）に対し、異なるビームパターンを適用した同期信号を割当てる場合を示す図である。
【図６】本発明の第１の態様にかかるページングメッセージの送信方法を説明するための図である。
【図７】本発明の第２の態様にかかるページングメッセージの送信方法を説明するための図である。
【図８】本発明の第２の態様にかかるページングメッセージの送信方法を説明するための図である。
【図９】本発明の第２の態様にかかるページングメッセージの送信方法を説明するための図である。
【図１０】本発明の第３の態様にかかるページングメッセージの送信方法を説明するための図である。
【図１１】本発明の第３の態様にかかるページングメッセージの送信方法を説明するための図である。
【図１２】本発明の一実施形態に係る無線通信システムの概略構成の一例を示す図である。
【図１３】本発明の一実施形態に係る無線基地局の全体構成の一例を示す図である。
【図１４】本発明の一実施形態に係る無線基地局の機能構成の一例を示す図である。
【図１５】本発明の一実施形態に係るユーザ端末の全体構成の一例を示す図である。
【図１６】本発明の一実施形態に係るユーザ端末の機能構成の一例を示す図である。
【図１７】本発明の一実施形態に係る無線基地局及びユーザ端末のハードウェア構成の一例を示す図である。
【発明を実施するための形態】
【００１６】
既存のＬＴＥシステムでは、ＲＲＣアイドル状態のユーザ端末は、あらかじめ定義されたページングタイミングにおいて、下り制御チャネル（ＰＤＣＣＨ）の共通サーチスペース（Ｃｏｍｍｏｎ  ＳＳ）で送信される下り制御情報（ＤＣＩ）を検出する。そして、当該ＤＣＩに含まれるスケジューリング（ＤＬ割当て）情報に基づいて、下り共有チャネル（ＰＤＳＣＨ）で送信されるページングメッセージを取得する（図１参照）。なお、ＤＣＩとしては、ページング用の識別子（Ｐ−ＲＮＴＩ）でスクランブルされたＤＣＩ（ＤＣＩフォーマット１Ａ、又はＤＣＩフォーマット１Ｃ）が用いられる。
【００１７】
無線基地局が送信するページングメッセージには、各ユーザ端末に対するページングレコード（Paging  Record）、システム情報の変更指示情報（例えば、SystemInfoModification）、ＥＴＷＳ（Earthquake  and  Tsunami  Warning  System）、ＣＭＡＳ（Commercial  Mobile  Alert  Service）、ＥＡＢ（Extended  Access  Barring）等の通知を含めることができる。
【００１８】
ユーザ端末がページングチャネルの検出を行うページングタイミングは、Ｐ−ＲＮＴＩでスクランブルされたＤＣＩが送信されるサブフレームを示すページングオケージョン（ＰＯ：Paging  Occasion）と、ＰＯが含まれる無線フレーム（ＰＦ：Paging  Frame）と、に基づいて設定される。ユーザ端末は、ＰＯ及びＰＦに基づいてページングチャネルの検出（モニター）を行う。アイドル状態のユーザ端末は、ページングチャネルをモニターする必要のある期間だけ受信動作（ＤＲＸ）を行い、その他の期間はスリープ状態又は省電力状態とすることにより、消費電力を低減することができる。なお、ページングチャネルは、Ｐ−ＲＮＴＩでスクランブルされたＤＣＩを送信する下り制御チャネルと、当該ＤＣＩで割当てが指示され、ページングメッセージを送信する下り共有チャネルと、を含む構成と考えてもよい。
【００１９】
各ユーザ端末のページングタイミング（ＰＦとＰＯ）は、ＩＭＳＩ（International  Mobile  Subscriber  Identity）、ページングサイクル（Ｔ）、変数（ｎＢ）によって定義される。一例として、ＦＤＤを適用するあるユーザ端末は、ＤＲＸサイクルが１２８無線フレーム、ｎＢ＝Ｔの場合、各無線フレームにおける所定サブフレーム（例えば、サブフレーム＃９）でページングチャネルの受信処理を行うように制御する（図２参照）。なお、ＦＤＤの場合、図２において同期信号（ＰＳＳ／ＳＳＳ）はサブフレーム＃０、＃５で送信され、ＭＩＢが割当てられる報知チャネル（ＰＢＣＨ）はサブフレーム＃０で送信される。
【００２０】
このように、既存のＬＴＥシステムでは、所定パラメータ（ＩＭＳＩ、ページングサイクル（Ｔ）、変数（ｎＢ））により決定されるページングタイミングでページングチャネルの受信動作を行う。
【００２１】
ところで、将来の無線通信システム（例えば、５Ｇ、ＮＲ）は、様々な無線通信サービスを、それぞれ異なる要求条件（例えば、超高速、大容量、超低遅延等）を満たすように実現することが期待されている。例えば、将来の無線通信システムでは、上述したように、ビームフォーミング（ＢＦ：Beam  Forming）を利用して通信を行うことが検討されている。
【００２２】
ＢＦは、デジタルＢＦ及びアナログＢＦに分類できる。デジタルＢＦは、ベースバンド上で（デジタル信号に対して）プリコーディング信号処理を行う方法である。この場合、逆高速フーリエ変換（ＩＦＦＴ：Inverse  Fast  Fourier  Transform）／デジタル−アナログ変換（ＤＡＣ：Digital  to  Analog  Converter）／ＲＦ（Radio  Frequency）の並列処理が、アンテナポート（RF  chain）の個数だけ必要となる。一方で、任意のタイミングで、ＲＦ  ｃｈａｉｎ数に応じた数だけビームを形成できる。
【００２３】
アナログＢＦは、ＲＦ上で位相シフト器を用いる方法である。この場合、ＲＦ信号の位相を回転させるだけなので、構成が容易で安価に実現できるが、同じタイミングで複数のビームを形成することができない。具体的には、アナログＢＦでは、位相シフト器ごとに、一度に１ビームしか形成できない。
【００２４】
このため、基地局（例えば、ｅＮＢ（evolved  Node  B）、ＢＳ（Base  Station）等と呼ばれる）が位相シフト器を１つのみ有する場合には、ある時間において形成できるビームは、１つとなる。したがって、アナログＢＦのみを用いて複数のビームを送信する場合には、同じリソースで同時に送信することはできないため、ビームを時間的に切り替えたり、回転させたりする必要がある。
【００２５】
なお、デジタルＢＦとアナログＢＦとを組み合わせたハイブリッドＢＦ構成とすることも可能である。将来の無線通信システム（例えば、５Ｇ）では、大規模ＭＩＭＯの導入が検討されているが、膨大な数のビーム形成をデジタルＢＦだけで行うとすると、回路構成が高価になってしまう。このため、５ＧではハイブリッドＢＦ構成が利用されると想定される。
【００２６】
ＢＦ動作としては、１つのＢＦを利用するシングルＢＦ動作（Single  BF  operation）、複数のＢＦを利用するマルチプルＢＦ動作（Multiple  BF  operation）がある（図３、図４参照）。シングルＢＦ動作を用いたＵＬ送信では、複数のユーザ端末間でＵＬのビーム（指向性）が直交する（衝突を避ける）ように直交プリアンブル（Orthogonal  preambles）が適用される（図３Ａ参照）。このため、図４Ａに示すように、周波数領域−時間領域において、同じリソースを用いることができる。
【００２７】
マルチプルＢＦ動作を用いたＵＬ送信では、複数のユーザ端末間でＵＬのビーム（指向性）が直交する（衝突を避ける）ようにＢＦを適用する。例えば、マルチプルＢＦ動作において、時間方向において異なるビームパターンを適用しながら複数回送信して、最適な受信指向性を選択することが考えられる（ビームスイープ）（図３Ｂ参照）。図４Ｂは、無線基地局（ｇＮＢとも呼ぶ）におけるマルチプルＢＦ動作の一例を示している。この場合、無線基地局は、複数の単位区間で異なる受信指向性でユーザ端末からの信号を受信する。図４Ｃは、無線基地局とユーザ端末におけるマルチプルＢＦ動作の一例を示している。この場合においても、無線基地局は、複数の単位区間で異なる受信指向性でユーザ端末からの信号を受信する。一方、ユーザ端末は、特定の送信指向性（図４ＣにおけるＵＥビーム＃１、ＵＥビーム＃２）で信号を送信する。
【００２８】
マルチプルＢＦ動作の場合、シングルＢＦ動作に比べて直交プリアンブルの数を少なくすることができる。また、マルチプルＢＦ動作の場合、時間方向において異なるビームパターンを適用するので、時間領域において、より多くのＰＲＡＣＨ（Physical  Random  Access  Channel）リソースが必要となる。
【００２９】
ところで、既存のＬＴＥシステムでは、無線基地局は、ＵＥの有無に関わらず、セル検出（セルサーチ）、初期アクセス等のための信号（例えば、同期信号（ＳＳ：Synchronization  Signal）、ブロードキャストチャネル（ＢＣＨ：Broadcast  Channel）、システム情報（ＳＩ：System  Information）等）を周期的に送信する必要があった。
【００３０】
カバレッジ拡張を実現するためには、これらの信号全てに対して、異なるＢＦ（ビームパターン）を適用しながら（スイープしながら）複数回送信することが考えられる（図５参照）。図５は、１サブフレームに含まれる異なるリソース（ここでは、各シンボル）に対し、異なるビームパターンを適用した同期信号を割当てる場合を示している。ユーザ端末は、各シンボルにおいて受信処理を行うことにより、いずれかのシンボルにおいて自端末に好適なビームが適用された信号を受信できる。また、ユーザ端末の初期アクセス完了後は、無線基地局とユーザ端末間で適切なビーム（ユーザ端末が受信した同期信号に対応するビームパターン）を用いた通信を行うことができる。
【００３１】
同期信号等にビームフォーミングを適用してカバレッジを拡張する場合、ページングチャネルに対しても同様のビーム（ビームパターン）を適用しないとユーザ端末にページングチャネルが届かないおそれが生じる。したがって、ページングチャネルに対してもビームフォーミングを適用することが考えられる。しかし、無線基地局は、アイドル状態のユーザ端末に適したビームパターンが分からないため、同期信号と同様に、異なるビームパターンが適用されたページングチャネルを異なるリソースにそれぞれマッピングして送信（Beam  sweeping）することが考えられる。
【００３２】
ページングチャネルに対して、異なるＢＦ（ビームパターン）を適用しながら（スイープしながら）複数回送信する方式を適用することを想定した場合、無線基地局は、どの送信指向性が各アイドル状態のユーザ端末にとって最適であるかが分からない。あるいは、無線基地局は、異なるビームフォーミングを適用する複数の単位区間の中で、どの送信タイミングが各アイドル状態のユーザ端末にとって最適かが分からない。
【００３３】
本発明者らは、ページングチャネルに対して、異なるＢＦ（ビームパターン）を適用しながら（スイープしながら）複数回送信する方式を適用する場合において、ユーザ端末がアイドル状態であっても、ビームフォーミングを適切に行うことができることを見出して、本発明をするに至った。
【００３４】
すなわち、本発明の一態様に係るユーザ端末は、複数のビームパターンを利用する無線基地局と通信するユーザ端末であって、複数の単位区間を含むページング用時間区間でそれぞれ異なるビームパターンが適用されて送信されるページング情報に対して受信処理を行う受信部と、上り信号を送信する送信部と、を有することを特徴とする。
【００３５】
このユーザ端末において、前記ページング用時間区間は、非連続の複数の単位区間を含む、又は、連続する複数の単位区間であることが好ましい。ページング用時間区間が非連続の複数の単位区間である場合、アイドル状態のユーザ端末に適したビームパターンが選択された後のページングメッセージを送信する必要がなくなる。
【００３６】
以下、本発明に係る実施形態について、図面を参照して詳細に説明する。各実施形態に係る無線通信方法は、それぞれ単独で適用されてもよいし、組み合わせて適用されてもよい。
【００３７】
なお、本明細書において、複数のビーム（ビームパターン）が異なるとは、例えば、複数のビームにそれぞれ適用される下記（１）−（６）のうち、少なくとも１つが異なる場合を表すものとするが、これに限られるものではない：（１）プリコーディング、（２）送信電力、（３）位相回転、（４）ビーム幅、（５）ビームの角度（例えば、チルト角）、（６）レイヤ数。なお、プリコーディングが異なる場合、プリコーディングウェイトが異なってもよいし、プリコーディングの方式（例えば、線形プリコーディングや非線型プリコーディング）が異なってもよい。ビームに線型／非線型プリコーディングを適用する場合は、送信電力や位相回転、レイヤ数等も変わり得る。
【００３８】
線形プリコーディングの例としては、ゼロフォーシング（ＺＦ：Zero-Forcing）規範、正規化ゼロフォーシング（Ｒ−ＺＦ：Regularized  Zero-Forcing）規範、最小平均二乗誤差（ＭＭＳＥ：Minimum  Mean  Square  Error）規範等に従うプリコーディングが挙げられる。また、非線形プリコーディングの例としては、ダーティ・ペーパ符号化（ＤＰＣ：Dirty  Paper  Coding）、ベクトル摂動（ＶＰ：Vector  Perturbation）、ＴＨＰ（Tomlinson  Harashima  Precoding）等のプリコーディングが挙げられる。なお、適用されるプリコーディングは、これらに限られない。
【００３９】
本発明の一態様にかかる無線通信システムにおいては、複数のビームパターンを利用する無線基地局とユーザ端末とで通信を行うものであって、複数の単位区間を含むページング用時間区間でそれぞれ異なるビームパターンが適用されて送信されるページング情報に対して受信処理を行う受信部、及び上り信号を送信する送信部を有するユーザ端末と、複数のビームパターンを利用してユーザ端末と通信する無線基地局であって、複数の単位区間を含むページング用時間区間の複数の単位区間でそれぞれ異なるビームパターンを適用してページング情報を送信する送信部を有する無線基地局と、を備える。
【００４０】
ここで、本発明における態様としては、ページング用時間区間が連続する複数の単位区間である場合と、ページング用時間区間が非連続の複数の単位区間である場合と、が挙げられる。
【００４１】
（第１の態様）
第１の態様のページング送信方法においては、無線基地局が複数のビームパターンを利用して連続する複数の単位区間にわたって同一のページングメッセージ（ページング情報）をユーザ端末に送信する。ここで、単位区間としては、例えば、サブフレーム、スロット、シンボル等を挙げることができる。
【００４２】
図６は、本発明の第１の態様にかかるページングメッセージの送信方法を説明するための図である。
【００４３】
第１の態様にかかるページングメッセージの送信方法では、無線基地局側で、定期的（間欠的に）にページング用時間区間が設定されており、このページング用時間区間において、ビームパターンを変えて同じページングメッセージを送信する。ここでは、４つの異なるビームパターン（送信指向性）を用い、ページング用時間区間を連続する４単位区間（例えば、４サブフレーム）としている。なお、使用するビームパターンの数については特に制限はない。また、ページング用時間区間についても特に制限はなく、使用するビームパターンの数を考慮して適宜設定することができる。また、ページング用時間区間の単位区間の数とビームパターンの数とは必ずしも同じである必要はない。
【００４４】
第１の態様においては、ユーザ端末がページング用時間区間（バースト）の周期、ページング用時間区間（バースト）の長さ等を知る必要がある。これらの情報は、無線基地局からユーザ端末に対してハイヤレイヤシグナリング等で通知しても良い。あるいは、これらの情報、特にページング用時間区間（バースト）の長さ（単位区間の数）は、ユーザ端末側で、セルＩＤ、ＴＲｘＰを識別するためのＩＤ、送信ビーム数等から導出しても良いし、予め仕様で決められていても良い（例えば、１０ｍｓ等）。
【００４５】
第１の態様にかかるページングメッセージの送信方法では、ユーザ端末側で、ＵＥ  ＩＤ、ＤＲＸサイクル、ビームに関する情報（無線基地局から報知された情報）、ページング用時間区間（バースト）の長さ（単位区間の数）等により、異なるビームパターンを適用したページング用時間区間を算出する。ビームに関する情報としては、送信ビームパターン数等を含む情報であればよい。なお、無線基地局からページング用時間区間の情報（ページング用時間区間の周期、単位区間の数）を取得しても良い。ユーザ端末は、ページング用時間区間の情報に基づいて、共通サーチスペースでＤＣＩ（下り制御情報）を読むか、又はページングメッセージの受信処理を行う。なお、ＤＣＩに基づかずにページングメッセージの受信処理を行う場合には、ＤＣＩの受信処理は省略することができる。
【００４６】
この場合、ユーザ端末は、複数の異なるビームパターンで送信されたページングメッセージの受信処理を行うことにより、ページングメッセージを確実に受信することができる。すなわち、ユーザ端末がアイドル状態の場合で、無線基地局側でどのビームパターン（送信指向性）が最適であるかが不明であっても、ビームフォーミングを適切に行ってページングメッセージをユーザ端末に送ることが可能となる。
【００４７】
なお、ユーザ端末でページングメッセージの受信処理を行い、最適なビームパターンが分かった場合、必要に応じて最適なビームパターンの情報をユーザ端末から無線基地局に通知しても良い。この場合、この最適なビームパターンの情報を他の上り信号に含めて無線基地局に送信しても良い。これにより、無線基地局側で最適なビームパターンを知ることができる。
【００４８】
（第２の態様）
第２の態様のページング送信方法においては、無線基地局が複数のビームパターンを利用して非連続の複数の単位区間で同一のページングメッセージをユーザ端末に送信する。ここで、単位区間としては、例えば、サブフレーム、スロット、シンボル等を挙げることができる。
【００４９】
図７及び図８は、本発明の第２の態様にかかるページングメッセージの送信方法を説明するための図である。
【００５０】
第２の態様にかかるページングメッセージの送信方法では、無線基地局側で、定期的（間欠的に）にページング用時間区間が設定されており、このページング用時間区間において、ビームパターンを変えて同じページングメッセージを送信する。ここでは、４つの異なるビームパターン（送信指向性）を用い、ページング用時間区間を１６単位区間（例えば、１６サブフレーム）としている。このページング用時間区間における非連続の複数の単位区間でビームパターンを変えて同じページングメッセージを送信する。図７に示す例においては、ページングメッセージを送信する単位区間の間隔（周期）が５単位区間である。
【００５１】
なお、使用するビームパターンの数については特に制限はない。また、ページングメッセージを送信する単位区間の間隔（周期）についても特に制限はなく、使用するビームパターンの数を考慮して適宜設定することができる。
【００５２】
第２の態様にかかるページングメッセージの送信方法においては、ページング用時間区間で非連続の複数の単位区間でビームパターンを変えて同じページングメッセージを送信する際に、無線基地局がユーザ端末から応答信号、例えばＲＡＣＨプリアンブル、ＲＲＣコネクションリクエスト、ＡＣＫ／ＮＡＣＫ等を受信したときに、後続のページングメッセージの送信を停止しても良い。
【００５３】
すなわち、図８に示すように、無線基地局が非連続の複数の単位区間でビームパターンを変えて同じページングメッセージを送信する際に、ユーザ端末が２つ目のページングメッセージを受信した後に応答信号を無線基地局に送信したときは、無線基地局は３つ目及び４つ目のページングメッセージを送信しない。これにより、第１の態様に比べて、ページングメッセージのオーバーヘッドを減少させることができる。
【００５４】
第２の態様においては、ユーザ端末がページング用時間区間（バースト）の周期、ページングメッセージを送信する数等を知る必要がある。これらの情報は、無線基地局からユーザ端末に対して、報知信号を含むハイヤレイヤシグナリング等で予め通知しても良い。あるいは、これらの情報は、ユーザ端末側で、セルＩＤ、ＴＲｘＰを識別するためのＩＤ、送信ビーム数等から導出しても良いし、予め仕様で決められていても良い（例えば、１０ｍｓ等）。
【００５５】
第２の態様にかかるページングメッセージの送信方法では、ユーザ端末側で、ＵＥ  ＩＤ、ＤＲＸサイクル等により、異なるビームパターンを適用してページングメッセージを送信する単位区間の間隔（周期）を算出する。なお、この単位区間の間隔（周期）は、無線基地局から取得しても良い。ユーザ端末は、ページング用時間区間の情報に基づいて、共通サーチスペースでＤＣＩ（下り制御情報）を読むか、又はページングメッセージの受信処理を行う。なお、ＤＣＩに基づかずにページングメッセージの受信処理を行う場合には、ＤＣＩの受信処理は省略することができる。
【００５６】
この場合、ユーザ端末は、複数の異なるビームパターンで送信されたページングメッセージの受信処理を行うことにより、ページングメッセージを確実に受信することができる。すなわち、ユーザ端末がアイドル状態の場合で、無線基地局側でどのビームパターン（送信指向性）が最適であるかが不明であっても、ビームフォーミングを適切に行ってページングメッセージをユーザ端末に送ることが可能となる。
【００５７】
第２の態様においては、無線基地局が応答信号を受信することにより、無線基地局がページングメッセージをユーザ端末で受信できたことを認識できるが、これとは別に、必要に応じて最適なビームパターンの情報をユーザ端末から無線基地局に通知しても良い。この場合、この最適なビームパターンの情報を他の上り信号に含めて無線基地局に送信しても良い。これにより、無線基地局側で最適なビームパターンを知ることができる。
【００５８】
第２の態様において、図９に示すように、ページング用時間区間内で単位区間毎に下り送信と上り送信とを切り替えるようにしても良い。図９においては、ページング用時間区間が８つの単位区間で構成されており、４つのビームパターンを使用している。具体的には、第１の単位区間＃１、第３の単位区間＃３、第５の単位区間＃５及び第７の単位区間＃７で下り送信を行い、第２の単位区間＃２、第４の単位区間＃４、第６の単位区間＃６及び第８の単位区間＃８で上り送信を行うように設定されている（ＴＤＤ：Time  Division  Duplex）。
【００５９】
また、第１の単位区間＃１及び第２の単位区間＃２で同じビームパターン（第１のビームパターンＢＦ＃１）を用い、第３の単位区間＃３及び第４の単位区間＃４で同じビームパターン（第２のビームパターンＢＦ＃２）を用い、第５の単位区間＃５及び第６の単位区間＃６で同じビームパターン（第３のビームパターンＢＦ＃３）を用い、第７の単位区間＃７及び第８の単位区間＃８で同じビームパターン（第４のビームパターンＢＦ＃４）を用いている。
【００６０】
図９においては、ＵＬ送信とＤＬ送信とを交互に行っている場合について記載しているが、ＵＬ送信とＤＬ送信の送信パターンについては特に制限はない。例えば、ＤＬ送信の割合を多くしても良く、ＵＬ送信の割合を多くしても良く、ＵＬ送信とＤＬ送信の送信パターンは、上下リンクのトラヒック状況等を考慮して適宜設定することができる。また、ＵＬ送信とＤＬ送信の送信パターンについては、無線基地局からユーザ端末に報知信号やハイヤレイヤシグナリング等で通知することができる。例えば、ＵＬ送信とＤＬ送信の送信パターンをビットマップにして、このビットマップ情報を無線基地局からユーザ端末にハイヤレイヤシグナリング等で通知しても良い。
【００６１】
このように、ページング用時間区間においてＵＬ送信とＤＬ送信とを交互に行うことにより、ユーザ端末におけるページングメッセージの受信を効率良く行うことができるので、ユーザ端末のバッテリー消費を減らすことができる。
【００６２】
上記第１の態様と第２の態様は、適宜組み合わせて実施することができる。すなわち、非連続の複数の単位区間でそれぞれ異なるビームパターンを適用してページングメッセージを送信する方法と、連続する複数の単位区間でそれぞれ異なるビームパターンを適用してページングメッセージを送信する方法とを組み合わせて実施することができる。
【００６３】
この場合において、第１の態様の送信方法と第２の態様の送信方法とを識別する識別情報をＭＩＢやＳＩＢで無線基地局からユーザ端末に報知しても良い。例えば、System  Information  change、ＥＴＷＳ、ＣＭＡＳ等、ユーザ端末共通の情報の送信に第１の態様の送信方法を適用し、ページングレコード等のユーザ端末固有の情報の送信に第２の態様の送信方法を適用しても良い。これにより、ユーザ固有の情報に関するシグナリングのオーバーヘッドを低減することができる。この場合においてユーザ端末は、第１の態様の送信方法に対応する受信処理と、第２の態様の送信方法に対応する受信処理とを切り替えて実施する。
【００６４】
（第３の態様）
第３の態様のページング送信方法においては、ページング用時間区間で無線基地局からの信号を用いてユーザ端末でビーム測定を行い、最適なビームパターンの情報をユーザ端末が無線基地局にフィードバックする。第３の態様のページング送信方法においては、ページング用時間区間は、ビームパターン（ビームインデックス）にそれぞれ括りつけられた複数の単位区間を含む。
【００６５】
第３の態様のページング送信方法においては、図１０に示すように、まず、ユーザ端末が、ＵＥ  ＩＤ、ＤＲＸサイクル等により、ＳＳ（同期信号）、報知チャネル、ＢＲＳ（ビームパターン測定用の参照信号）等を受信する時間間隔、周期、タイミング等に関する情報を算出し、その算出結果を用いて最適なビームを検出する。次に、ユーザ端末は、この最適なビームパターンを用いて、ＲＡＣＨリソース（送信タイミング）でＲＡＣＨプリアンブルを無線基地局に送信する。その後、無線基地局は、ＲＡＣＨプリアンブルを受信して、当該ユーザ端末に最適なビームインデックスを算出する。
【００６６】
無線基地局は、最適なビームインデックスに括りついた単位区間でのみページングメッセージをユーザ端末に送信する。なお、この場合においては、ユーザ端末は、無線基地局から異なるビームパターンで送信されたページングメッセージを受信する複数の単位区間においてすべて受信処理を行うことになる。あるいは、ユーザ端末は最適なビームインデックスに括りついた単位区間でのみでページングメッセージ受信しても良い。その後、ユーザ端末は、ページングメッセージの受信処理を行った後に、ＲＲＣコネクションリクエストを無線基地局に送信する。
【００６７】
この態様によれば、無線基地局がページングメッセージを送信する前に、最適なビームパターンを把握することができるので、第１の態様に比べて、ページングメッセージのオーバーヘッドを減少させることができる。
【００６８】
第３の態様のページング送信方法においては、ＲＡＣＨプリアンブルを送信するように設定される。このＲＡＣＨプリアンブルは、通常のＲＡＣＨ手順のＲＡＣＨプリアンブルとは個別に設定するものであるので、両者を識別するために、ページング用のＲＡＣＨプリアンブルのリソースを通常のＲＡＣＨプリアンブルのリソースとは別に設定しても良い。なお、ページング用のＲＡＣＨプリアンブルは、最適なビームを通知する目的のものであるので、パワーランピングを適用しなくても良い。
【００６９】
また、第３の態様のページング送信方法においては、無線基地局がＲＡＣＨプリアンブルを受信して最適なビームパターンを求めたときは、図１１に示すように、どのタイミングで、すなわちどの単位区間でページングメッセージを送信しても良い。なお、この場合においては、ユーザ端末は、無線基地局から最適なビームパターンで送信されたページングメッセージを受信する単位区間のみにおいて受信処理を行うことになる。これにより、ユーザ端末においてページングメッセージの受信処理までにかかる時間をより短縮することが可能である。
【００７０】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【００７１】
図１２は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００７２】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）等と呼ばれてもよいし、これらを実現するシステムと呼ばれてもよい。
【００７３】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。
【００７４】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００７５】
ユーザ端末２０と無線基地局１１との間は、相対的に低い周波数帯域（例えば、２ＧＨｚ）で帯域幅が狭いキャリア（既存キャリア、Legacy  carrier等と呼ばれる）を用いて通信を行うことができる。一方、ユーザ端末２０と無線基地局１２との間は、相対的に高い周波数帯域（例えば、３．５ＧＨｚ、５ＧＨｚ等）で帯域幅が広いキャリアが用いられてもよいし、無線基地局１１との間と同じキャリアが用いられてもよい。なお、各無線基地局が利用する周波数帯域の構成はこれに限られない。
【００７６】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェース等）又は無線接続する構成とすることができる。
【００７７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置３０に接続されてもよい。
【００７８】
なお、無線基地局１１は、相対的に広いカバレッジを有する無線基地局であり、マクロ基地局、集約ノード、ｅＮＢ（eNodeB）、送受信ポイント、等と呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイント等と呼ばれてもよい。以下、無線基地局１１及び無線基地局１２を区別しない場合は、無線基地局１０と総称する。
【００７９】
各ユーザ端末２０は、ＬＴＥ、ＬＴＥ−Ａ等の各種通信方式に対応した端末であり、移動通信端末（移動局）だけでなく固定通信端末（固定局）を含んでもよい。
【００８０】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）が適用される。
【００８１】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００８２】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネル等が用いられる。ＰＤＳＣＨにより、ユーザデータや上位レイヤ制御情報、ＳＩＢ（System  Information  Block）等が伝送される。また、ＰＢＣＨにより、ＭＩＢ（Master  Information  Block）が伝送される。
【００８３】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）等を含む。ＰＤＣＣＨにより、ＰＤＳＣＨ及びＰＵＳＣＨのスケジューリング情報を含む下り制御情報（ＤＣＩ：Downlink  Control  Information）等が伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫ等ともいう）が伝送される。ＥＰＤＣＣＨは、ＰＤＳＣＨ（下り共有データチャネル）と周波数分割多重され、ＰＤＣＣＨと同様にＤＣＩ等の伝送に用いられる。
【００８４】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）等が用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認情報等が伝送される。ＰＲＡＣＨにより、セルとの接続確立のためのランダムアクセスプリアンブルが伝送される。
【００８５】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）等が伝送される。また、無線通信システム１では、上り参照信号として、測定用参照信号（ＳＲＳ：Sounding  Reference  Signal）、復調用参照信号（ＤＭＲＳ）等が伝送される。なお、ＤＭＲＳはユーザ端末固有参照信号（UE-specific  Reference  Signal）と呼ばれてもよい。また、伝送される参照信号は、これらに限られない。
【００８６】
（無線基地局）
図１３は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００８７】
下りリンクにより無線基地局１０からユーザ端末２０に送信されるユーザデータは、上位局装置３０から伝送路インターフェース１０６を介してベースバンド信号処理部１０４に入力される。
【００８８】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御等のＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理等の送信処理が行われて送受信部１０３に転送される。また、下り制御信号に関しても、チャネル符号化や逆高速フーリエ変換等の送信処理が行われて、送受信部１０３に転送される。
【００８９】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９０】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００９１】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００９２】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【００９３】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。
【００９４】
送受信部１０３は、ページングメッセージの送信、第２の態様のページング送信方法における応答信号の受信、第３の態様のページング送信方法におけるＲＡＣＨプリアンブルの受信、ＲＲＣコネクションリクエストの受信等を制御する。また、送受信部１０３は、ユーザ端末でのビーム測定のために、同期信号、報知チャネル信号、ビームパターン測定用の参照信号を送信してもよい。
【００９５】
図１４は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【００９６】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【００９７】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【００９８】
制御部３０１は、例えば、送信信号生成部３０２による信号の生成や、マッピング部３０３による信号の割り当てを制御する。また、制御部３０１は、受信信号処理部３０４による信号の受信処理や、測定部３０５による信号の測定を制御する。
【００９９】
制御部３０１は、システム情報、ＰＤＳＣＨで送信される下りデータ信号、ＰＤＣＣＨ及び／又はＥＰＤＣＣＨで伝送される下り制御信号のスケジューリング（例えば、リソース割り当て）を制御する。また、制御部３０１は、上りデータ信号に対する再送制御の要否を判定した結果等に基づいて、下り制御信号（例えば、送達確認情報等）や下りデータ信号の生成を制御する。また、制御部３０１は、同期信号（例えば、ＰＳＳ（Primary  Synchronization  Signal）／ＳＳＳ（Secondary  Synchronization  Signal））や、ＣＲＳ、ＣＳＩ−ＲＳ、ＤＭＲＳ等の下り参照信号のスケジューリングの制御を行う。
【０１００】
また、制御部３０１は、ＰＵＳＣＨで送信される上りデータ信号、ＰＵＣＣＨ及び／又はＰＵＳＣＨで送信される上り制御信号（例えば、送達確認情報）、ＰＲＡＣＨで送信されるＲＡＣＨプリアンブルや、上り参照信号等のスケジューリングを制御する。
【０１０１】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成するように制御する。
【０１０２】
例えば、制御部３０１は、所定の期間（例えば、ページング用時間区間）において、複数の異なるビームパターンを用いて、ページングメッセージを送信するように制御する。なお、制御部３０１は、複数の異なるビームパターンを用いて送信するページングメッセージをページング用時間区間の単位区間に括りつけるように制御する。また、制御部３０１は、所定の期間（例えば、スイープ期間）において、１つ以上のビーム固有信号及び／又はチャネル（例えば、ビーム固有ＳＳ、ビーム固有ＲＳ、ビーム固有ＢＣＨ（ブロードキャスト信号）等）を、スイープしながら送信するように制御してもよい。また、制御部３０１は、ユーザ端末が最適なビームパターンを用いて送信したＲＡＣＨプリアンブルを受信して、自装置に最適なビームインデックスを算出するように制御する。
【０１０３】
送信信号生成部３０２は、制御部３０１からの指示に基づいて、下り信号（下り制御信号、下りデータ信号、下り参照信号等）を生成して、マッピング部３０３に出力する。送信信号生成部３０２は、本発明に係る技術分野での共通認識に基づいて説明される信号生成器、信号生成回路又は信号生成装置から構成することができる。
【０１０４】
送信信号生成部３０２は、例えば、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ：Channel  State  Information）等に基づいて決定された符号化率、変調方式等に従って符号化処理、変調処理が行われる。
【０１０５】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１０６】
受信信号処理部３０４は、送受信部１０３から入力された受信信号に対して、受信処理（例えば、デマッピング、復調、復号等）を行う。ここで、受信信号は、例えば、ユーザ端末２０から送信される上り信号（上り制御信号、上りデータ信号、上り参照信号等）である。受信信号処理部３０４は、本発明に係る技術分野での共通認識に基づいて説明される信号処理器、信号処理回路又は信号処理装置から構成することができる。
【０１０７】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号や、受信処理後の信号を、測定部３０５に出力する。
【０１０８】
測定部３０５は、受信した信号に関する測定を実施する。測定部３０５は、本発明に係る技術分野での共通認識に基づいて説明される測定器、測定回路又は測定装置から構成することができる。
【０１０９】
測定部３０５は、例えば、受信した信号の受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））やチャネル状態等について測定してもよい。測定結果は、制御部３０１に出力されてもよい。
【０１１０】
（ユーザ端末）
図１５は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１１１】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１１２】
ベースバンド信号処理部２０４は、入力されたベースバンド信号に対して、ＦＦＴ処理や、誤り訂正復号、再送制御の受信処理等を行う。下りリンクのユーザデータは、アプリケーション部２０５に転送される。アプリケーション部２０５は、物理レイヤやＭＡＣレイヤより上位のレイヤに関する処理等を行う。また、下りリンクのデータのうち、報知情報もアプリケーション部２０５に転送される。
【０１１３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理等が行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１１４】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。
【０１１５】
送受信部２０３は、ページングメッセージの受信、第２の態様のページング送信方法における応答信号の送信、第３の態様のページング送信方法におけるＲＡＣＨプリアンブルの送信、ＲＲＣコネクションリクエストの送信等を制御する。また、送受信部２０３は、ビーム測定のために、同期信号、報知チャネル信号、ビームパターン測定用の参照信号を受信してもよい。
【０１１６】
図１６は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１１７】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１１８】
制御部４０１は、ユーザ端末２０全体の制御を実施する。制御部４０１は、本発明に係る技術分野での共通認識に基づいて説明されるコントローラ、制御回路又は制御装置から構成することができる。
【０１１９】
制御部４０１は、例えば、送信信号生成部４０２による信号の生成や、マッピング部４０３による信号の割り当てを制御する。また、制御部４０１は、受信信号処理部４０４による信号の受信処理や、測定部４０５による信号の測定を制御する。
【０１２０】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果等に基づいて、上り制御信号（例えば、送達確認情報等）や上りデータ信号の生成を制御する。
【０１２１】
制御部４０１は、ベースバンド信号処理部２０４によるデジタルＢＦ（例えば、プリコーディング）及び／又は送受信部２０３によるアナログＢＦ（例えば、位相回転）を用いて、送信ビーム及び／又は受信ビームを形成するように制御する。
【０１２２】
例えば、制御部４０１は、ページング用時間区間が連続した複数の単位区間である場合に、連続した複数の単位区間でそれぞれ異なるビームパターンが適用されて送信されるページングメッセージに対して受信処理を行うように制御する（第１の態様）。制御部４０１は、ページング用時間区間が非連続の複数の単位区間を含む場合に、複数の単位区間を含むページング用時間区間でそれぞれ異なるビームパターンが適用されて送信されるページングメッセージに対して受信処理を行うように制御する（第２の態様）。また、制御部４０１は、所定の期間（例えば、スイープ期間）において送信される複数のビーム固有信号及び／又はチャネル（例えば、ビーム固有ＳＳ、ビーム固有ＲＳ、ビーム固有ＢＣＨ（ブロードキャスト信号）等）のうち、少なくとも１つを受信するように制御してもよい。
【０１２３】
また、制御部４０１は、第２の態様のページング送信方法において、ページング用時間区間が非連続の複数の単位区間である場合に、ページング情報の受信に基づいて応答信号を送信するように制御する。制御部４０１は、非連続となる複数の単位区間でそれぞれ異なるビームパターンが適用されて送信されるページング情報に対する受信処理と、連続する複数の単位区間でそれぞれ異なるビームパターンが適用されて送信されるページング情報に対する受信処理とを切り替えて行うように制御する。また、制御部４０１は、ＴＤＤ等の場合において、ページング用時間区間にＵＬ送信を行うように制御する（第２の態様）。
【０１２４】
また、制御部４０１は、セルＩＤ、ＴＲｘＰを識別するためのＩＤ、送信ビーム数等を用いてページング用時間区間（バースト）の長さ（単位区間の数）を導出するように制御する（第１の態様）。また、制御部４０１は、ＵＥ  ＩＤ、ＤＲＸサイクル、ビームに関する情報（無線基地局から報知された情報）、ページング用時間区間（バースト）の長さ（単位区間の数）等を用いて、異なるビームパターンを適用したページング用時間区間を算出するように制御する（第１の態様）。
【０１２５】
また、制御部４０１は、セルＩＤ、ＴＲｘＰＩＤ等を用いてページング用時間区間（バースト）の周期、ページングメッセージを送信する数を導出するように制御する（第２の態様）。制御部４０１は、ＵＥ  ＩＤ、ＤＲＸサイクル等を用いて、異なるビームパターンを適用してページングメッセージを送信する単位区間の間隔（周期）を算出するように制御する（第２の態様）。
【０１２６】
また、制御部４０１は、ＵＥ  ＩＤ、ＤＲＸサイクル等により、ＳＳ（同期信号）、報知チャネル、ＢＲＳ（ビームパターン測定用の参照信号）等を受信する時間間隔、周期、タイミング等に関する情報を算出し、その算出結果を用いて最適なビームを検出するように制御する（第３の態様）。制御部４０１は、この最適なビームパターンを用いて、ＲＡＣＨリソース（送信タイミング）でＲＡＣＨプリアンブルを無線基地局に送信する（第３の態様）。
【０１２７】
送信信号生成部４０２は、制御部４０１からの指示に基づいて、上り信号（上り制御信号、上りデータ信号、上り参照信号等）を生成して、マッピング部４０３に出力する。送信信号生成部４０２は、本発明に係る技術分野での共通認識に基づいて説明される信号生成器、信号生成回路又は信号生成装置から構成することができる。
【０１２８】
送信信号生成部４０２は、例えば、制御部４０１からの指示に基づいて、送達確認情報やチャネル状態情報（ＣＳＩ）に関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１２９】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１３０】
受信信号処理部４０４は、送受信部２０３から入力された受信信号に対して、受信処理（例えば、デマッピング、復調、復号等）を行う。ここで、受信信号は、例えば、無線基地局１０から送信される下り信号（下り制御信号、下りデータ信号、下り参照信号等）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１３１】
受信信号処理部４０４は、受信処理により復号された情報を制御部４０１に出力する。受信信号処理部４０４は、例えば、報知情報、システム情報、ＲＲＣシグナリング、ＤＣＩ等を、制御部４０１に出力する。また、受信信号処理部４０４は、受信信号や、受信処理後の信号を、測定部４０５に出力する。
【０１３２】
測定部４０５は、受信した信号に関する測定を実施する。例えば、測定部４０５は、無線基地局１０から送信されたビーム形成用ＲＳを用いて測定を実施する。測定部４０５は、本発明に係る技術分野での共通認識に基づいて説明される測定器、測定回路又は測定装置から構成することができる。
【０１３３】
測定部４０５は、例えば、受信した信号の受信電力（例えば、ＲＳＲＰ）、受信品質（例えば、ＲＳＲＱ、受信ＳＩＮＲ）やチャネル状態等について測定してもよい。測定結果は、制御部４０１に出力されてもよい。
【０１３４】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１３５】
例えば、本発明の一実施形態における無線基地局、ユーザ端末等は、本発明の無線通信方法の処理を行うコンピュータとして機能してもよい。図１７は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７等を含むコンピュータ装置として構成されてもよい。
【０１３６】
なお、以下の説明では、「装置」という文言は、回路、デバイス、ユニット等に読み替えることができる。無線基地局１０及びユーザ端末２０のハードウェア構成は、図に示した各装置を１つ又は複数含むように構成されてもよいし、一部の装置を含まずに構成されてもよい。
【０１３７】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１３８】
無線基地局１０及びユーザ端末２０における各機能は、例えば、プロセッサ１００１、メモリ１００２等のハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０１３９】
プロセッサ１００１は、例えば、オペレーティングシステムを動作させてコンピュータ全体を制御する。プロセッサ１００１は、周辺装置とのインターフェース、制御装置、演算装置、レジスタ等を含む中央処理装置（ＣＰＵ：Central  Processing  Unit）で構成されてもよい。例えば、上述のベースバンド信号処理部１０４（２０４）、呼処理部１０５等は、プロセッサ１００１で実現されてもよい。
【０１４０】
また、プロセッサ１００１は、プログラム（プログラムコード）、ソフトウェアモジュール、データ等を、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１４１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）等と呼ばれてもよい。メモリ１００２は、本発明の一実施形態に係る無線通信方法を実施するために実行可能なプログラム（プログラムコード）、ソフトウェアモジュール等を保存することができる。
【０１４２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）等）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１４３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュール等ともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザ等を含んで構成されてもよい。例えば、上述の送受信アンテナ１０１（２０１）、アンプ部１０２（２０２）、送受信部１０３（２０３）、伝送路インターフェース１０６等は、通信装置１００４で実現されてもよい。
【０１４４】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、ＬＥＤ（Light  Emitting  Diode）ランプ等）である。なお、入力装置１００５及び出力装置１００６は、一体となった構成（例えば、タッチパネル）であってもよい。
【０１４５】
また、プロセッサ１００１やメモリ１００２等の各装置は、情報を通信するためのバス１００７で接続される。バス１００７は、単一のバスで構成されてもよいし、装置間で異なるバスで構成されてもよい。
【０１４６】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）等のハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１４７】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号等と呼ばれてもよい。また、コンポーネントキャリア（ＣＣ：Component  Carrier）は、セル、周波数キャリア、キャリア周波数等と呼ばれてもよい。
【０１４８】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボル等）で構成されてもよい。
【０１４９】
無線フレーム、サブフレーム、スロット及びシンボルは、いずれも信号を伝送する際の時間単位を表す。無線フレーム、サブフレーム、スロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロットがＴＴＩと呼ばれてもよい。つまり、サブフレームやＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０１５０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅や送信電力等）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリングやリンクアダプテーション等の処理単位となってもよい。
【０１５１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレーム等と呼ばれてもよい。通常ＴＴＩより短いＴＴＩは、短縮ＴＴＩ、ショートＴＴＩ、短縮サブフレーム、又はショートサブフレーム等と呼ばれてもよい。
【０１５２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペア等と呼ばれてもよい。
【０１５３】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１５４】
なお、上述した無線フレーム、サブフレーム、スロット及びシンボル等の構造は例示に過ぎない。例えば、無線フレームに含まれるサブフレームの数、サブフレームに含まれるスロットの数、スロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長等の構成は、様々に変更することができる。
【０１５５】
また、本明細書で説明した情報、パラメータ等は、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式等は、本明細書で明示的に開示したものと異なってもよい。
【０１５６】
本明細書においてパラメータ等に使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）等）及び情報要素は、あらゆる好適な名称によって識別できるので、これらの様々なチャネル及び情報要素に割り当てている様々な名称は、いかなる点においても限定的なものではない。
【０１５７】
本明細書で説明した情報、信号等は、様々な異なる技術のいずれかを使用して表されてもよい。例えば、上記の説明全体に渡って言及され得るデータ、命令、コマンド、情報、信号、ビット、シンボル、チップ等は、電圧、電流、電磁波、磁界若しくは磁性粒子、光場若しくは光子、又はこれらの任意の組み合わせによって表されてもよい。
【０１５８】
また、情報、信号等は、上位レイヤから下位レイヤ、及び／又は下位レイヤから上位レイヤへ出力され得る。情報、信号等は、複数のネットワークノードを介して入出力されてもよい。
【０１５９】
入出力された情報、信号等は、特定の場所（例えば、メモリ）に保存されてもよいし、管理テーブルで管理してもよい。入出力される情報、信号等は、上書き、更新又は追記をされ得る。出力された情報、信号等は、削除されてもよい。入力された情報、信号等は、他の装置へ送信されてもよい。
【０１６０】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）等）、ＭＡＣ（Medium  Access  Control）シグナリング）、その他の信号又はこれらの組み合わせによって実施されてもよい。
【０１６１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）等と呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージ等であってもよい。また、ＭＡＣシグナリングは、例えば、ＭＡＣ制御要素（ＭＡＣ  ＣＥ（Control  Element））で通知されてもよい。
【０１６２】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１６３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１６４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能等を意味するよう広く解釈されるべきである。
【０１６５】
また、ソフトウェア、命令、情報等は、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）等）及び／又は無線技術（赤外線、マイクロ波等）を使用してウェブサイト、サーバ、又は他のリモートソースから送信される場合、これらの有線技術及び／又は無線技術は、伝送媒体の定義内に含まれる。
【０１６６】
本明細書で使用する「システム」及び「ネットワーク」という用語は、互換的に使用される。
【０１６７】
本明細書では、「基地局（ＢＳ：Base  Station）」、「無線基地局」、「ｅＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセル等の用語で呼ばれる場合もある。
【０１６８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１６９】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセル等の用語で呼ばれる場合もある。
【０１７０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１７１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」や「下り」等の文言は、「サイド」と読み替えられてもよい。例えば、上りチャネルは、サイドチャネルと読み替えられてもよい。
【０１７２】
同様に、本明細書におけるユーザ端末は、無線基地局で読み替えてもよい。この場合、上述のユーザ端末２０が有する機能を無線基地局１０が有する構成としてもよい。
【０１７３】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）等が考えられるが、これらに限られない）又はこれらの組み合わせによって行われ得ることは明らかである。
【０１７４】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャート等は、矛盾の無い限り、順序を入れ替えてもよい。例えば、本明細書で説明した方法については、例示的な順序で様々なステップの要素を提示しており、提示した特定の順序に限定されない。
【０１７５】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１７６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１７７】
本明細書で使用する「第１の」、「第２の」等の呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０１７８】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）等を「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）等を「判断（決定）」することであるとみなされてもよい。また、「判断（決定）」は、解決（resolving）、選択（selecting）、選定（choosing）、確立（establishing）、比較（comparing）等を「判断（決定）」することであるとみなされてもよい。つまり、「判断（決定）」は、何らかの動作を「判断（決定）」することであるとみなされてもよい。
【０１７９】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギー等の電磁エネルギーを使用することにより、互いに「接続」又は「結合」されると考えることができる。
【０１８０】
本明細書又は特許請求の範囲で「含む（including）」、「含んでいる（comprising）」、及びそれらの変形が使用されている場合、これらの用語は、用語「備える」と同様に、包括的であることが意図される。さらに、本明細書あるいは特許請求の範囲において使用されている用語「又は（or）」は、排他的論理和ではないことが意図される。
【０１８１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１８２】
本出願は、２０１６年８月４日出願の特願２０１６−１５４０１７に基づく。この内容は、全てここに含めておく。
【図１】
2018025947.tif 000003
【図２】
2018025947.tif 000004
【図３】
2018025947.tif 000005
【図４】
2018025947.tif 000006
【図５】
2018025947.tif 000007
【図６】
2018025947.tif 000008
【図７】
2018025947.tif 000009
【図８】
2018025947.tif 000010
【図９】
2018025947.tif 000011
【図１０】
2018025947.tif 000012
【図１１】
2018025947.tif 000013
【図１２】
2018025947.tif 000014
【図１３】
2018025947.tif 000015
【図１４】
2018025947.tif 000016
【図１５】
2018025947.tif 000017
【図１６】
2018025947.tif 000018
【図１７】
2018025947.tif 000019
【国際調査報告】
2018025947.tif 000020
2018025947.tif 000021
2018025947.tif 000022
2018025947.tif 000023